(57)【要約】      （修正有）【課題】関電極及び不関電極を有する低周波治療器において治療効果を促進させるようにする。【解決手段】低周波治療器１０は、関電極パッド１２と、不関電極パッドと、これら関電極パッド１２及び不関電極パッドに接続される低周波電源１６と、を有し、更に、関電極パッド１２に取付け可能であるイオントフォレーシス装置１８が備えられている。イオントフォレーシス装置１８は、イオントフォレーシスにより薬物イオンを投与するための作用側電極構造体と、作用側電極構造体から薬物イオンを投与する際に対電極となる非作用側電極構造体と、これら作用側電極構造体及び非作用側電極構造体に異なる極性で接続される直流電源と、を含んで構成されている。【選択図】図１
2007089776.tif 000002
【特許請求の範囲】
【請求項１】
関電極パッドと、不関電極パッドと、これら関電極パッド及び不関電極パッドに接続される低周波電源と、を有してなる低周波治療器であって、
前記関電極パッド及び不関電極パッドの少なくとも一方に取付け可能であるイオントフォレーシス装置が備えられ、
該イオントフォレーシス装置は、イオントフォレーシスにより薬物イオンを投与するための作用側電極構造体と、前記作用側電極構造体から薬物イオンを投与する際に対電極となる非作用側電極構造体と、これら作用側電極構造体及び非作用側電極構造体に異なる極性で接続される直流電源と、を含むことを特徴とする低周波治療器。
【請求項２】
関電極パッドと、不関電極パッドと、これら関電極パッド及び不関電極パッドに接続される低周波電源と、を有してなる低周波治療器であって、
前記関電極パッド及び不関電極パッドの一方に取付け可能でありイオントフォレーシスにより薬物イオンを投与するための作用側電極構造体と、前記関電極パッド及び不関電極パッドの他方に取付け可能であり前記作用側電極構造体から前記薬物イオンを投与する際に対電極となる非作用側電極構造体と、これら作用側電極構造体及び非作用側電極構造体に異なる極性で接続される直流電源と、を含むイオントフォレーシス装置が備えられたことを特徴とする低周波治療器。
【請求項３】
請求項２において、
前記作用側電極構造体は、前記関電極パッドに取付け可能であることを特徴とする低周波治療器。
【請求項４】
請求項１乃至３のいずれかにおいて、
前記薬物イオンは、血行促進、消炎及び鎮痛のいずれかの効能を有する薬物イオンであることを特徴とする低周波治療器。
【請求項５】
請求項１乃至４のいずれかにおいて、
前記作用側電極構造体は、
前記直流電源での、前記薬物イオンの帯電イオンと同種の極性に接続された作用側電極と、
この作用側電極の前面に配置され、第１電解液が保持されている第１電解液保持部と、
この第１電解液保持部の前面に配置され、前記薬物イオンの帯電イオンと反対の第２導電型のイオンを選択的に通過させる機能を有する第２イオン交換膜と、
この第２イオン交換膜の前面に配置され、前記薬物イオンを含む薬液が保持されている薬液保持部と、
この薬液保持部の前面に配置され、前記薬物イオンの帯電イオンと同種の第１導電型のイオンを選択的に通過させる機能を有する第１イオン交換膜と、
を有してなり、
前記非作用側電極構造体は、
前記直流電源での、前記薬物イオンの帯電イオンと反対の極性に接続された非作用側電極と、
この非作用側電極の前面に配置され、第２電解液が保持されている第２電解液保持部と、
この第２電解液保持部の前面に配置され、前記第１導電型のイオンを選択的に通過させる機能を有する第３イオン交換膜と、
この第３イオン交換膜の前面に配置され、第３電解液が保持されている第３電解液保持部と、
この第３電解液保持部の前面に配置され、前記第２導電型のイオンを選択的に通過させる機能を有する第４イオン交換膜と、
を有してなることを特徴とする低周波治療器。
【発明の詳細な説明】
【技術分野】
【０００１】
本発明は、生体に電流を通して治療するための低周波治療器に関する。
【背景技術】
【０００２】
従来、肩こり、筋肉痛、神経痛等を治療する物理療法機器の１種として低周波治療器が知られている。これは、一対の関電極パッド及び不関電極パッドを人体等の患部あるいはこの患部に近い部分に当てて、両者間に低周波の電位差を与えることによって患部に低周波の電流を流すようにしている（例えば、特許文献１参照）。
【０００３】
【特許文献１】特開２００５−１４３８２９号公報
【発明の開示】
【発明が解決しようとする課題】
【０００４】
本発明は、このような低周波治療器の治療効果を高めることを目的とする。
【課題を解決するための手段】
【０００５】
本発明者は、鋭意研究の結果、低周波治療器における関電極パッド及び不関電極パッドの少なくとも一方にイオントフォレーシス装置を備えることによって、従来よりも高い治療効果が得られることを見出した。
【０００６】
即ち、以下の各種実施形態例により、上記課題を解決することができる。
【０００７】
（１）関電極パッドと、不関電極パッドと、これら関電極パッド及び不関電極パッドに接続される低周波電源と、を有してなる低周波治療器であって、前記関電極パッド及び不関電極パッドの少なくとも一方に取付け可能であるイオントフォレーシス装置が備えられ、該イオントフォレーシス装置は、イオントフォレーシスにより薬物イオンを投与するための作用側電極構造体と、前記作用側電極構造体から薬物イオンを投与する際に対電極となる非作用側電極構造体と、これら作用側電極構造体及び非作用側電極構造体に異なる極性で接続される直流電源と、を含むことを特徴とする低周波治療器。
【０００８】
（２）関電極パッドと、不関電極パッドと、これら関電極パッド及び不関電極パッドに接続される低周波電源と、を有してなる低周波治療器であって、前記関電極パッド及び不関電極パッドの一方に取付け可能でありイオントフォレーシスにより薬物イオンを投与するための作用側電極構造体と、前記関電極パッド及び不関電極パッドの他方に取付け可能であり前記作用側電極構造体から前記薬物イオンを投与する際に対電極となる非作用側電極構造体と、これら作用側電極構造体及び非作用側電極構造体に異なる極性で接続される直流電源と、を含むイオントフォレーシス装置が備えられたことを特徴とする低周波治療器。
【０００９】
（３）  （２）において、前記作用側電極構造体は、前記関電極パッドに取付け可能であることを特徴とする低周波治療器。
【００１０】
（４）  （１）乃至（３）のいずれかにおいて、前記薬物イオンは、血行促進、消炎及び鎮痛のいずれかの効能を有する薬物イオンであることを特徴とする低周波治療器。
【００１１】
（５）  （１）乃至（４）のいずれかにおいて、前記作用側電極構造体は、前記直流電源での、前記薬物イオンの帯電イオンと同種の極性に接続された作用側電極と、この作用側電極の前面に配置され、第１電解液が保持されている電解液保持部と、この第１電解液保持部の前面に配置され、前記薬物イオンの帯電イオンと反対の第２導電型のイオンを選択的に通過させる機能を有する第２イオン交換膜と、この第２イオン交換膜の前面に配置され、前記薬物イオンを含む薬液が保持されている薬液保持部と、この薬液保持部の前面に配置され、前記薬物イオンの帯電イオンと同種の第１導電型のイオンを選択的に通過させる機能を有する第１イオン交換膜と、を有してなり、前記非作用側電極構造体は、前記直流電源での、前記薬物イオンの帯電イオンと反対の極性に接続された非作用側電極と、この非作用側電極の前面に配置され、第２電解液が保持されている第２電解液保持部と、この第２電解液保持部の前面に配置され、前記第１導電型のイオンを選択的に通過させる機能を有する第３イオン交換膜と、この第３イオン交換膜の前面に配置され、第３電解液が保持されている第３電解液保持部と、この第３電解液保持部の前面に配置され、前記第２導電型のイオンを選択的に通過させる機能を有する第４イオン交換膜と、を有してなることを特徴とする低周波治療器。
【００１２】
尚、本出願において「薬物イオン」という用語は、薬物がイオン解離することによって生じるイオンであって、薬効を担うイオンという意義で用いることとする。
【発明の効果】
【００１３】
この発明においては、関電極パッド及び不関電極パッドの少なくとも一方に取付け可能であるイオントフォレーシス装置により、治療時に、作用側電極構造体の薬液保持部に予め設けられている薬物イオンを、イオントフォレーシスによって患部に吸収させることができるので、例えば、この薬物イオンとして血行促進、消炎、鎮痛等の効能を有する薬物イオンを用いることで、肩こり、筋肉痛、神経痛等の治療効果を高めることができる。
【発明を実施するための最良の形態】
【００１４】
以下本発明を実施するための最良の形態例について図面を参照して詳細に説明する。
【００１５】
図１に示されるように、本発明の第１実施形態例に係る低周波治療器１０は、関電極パッド１２と、不関電極パッド１４と、これら関電極パッド１２及び不関電極１４パッドに接続される低周波電源１６と、を有し、更に、関電極パッド１２に取付け可能であるイオントフォレーシス装置１８が備えられている。
【００１６】
関電極パッド１２は、人体等の被験面に当てられるものであり、不関電極パッド１４は関電極パッド１２に対して対を成すように構成されている。
【００１７】
関電極パッド１２は、図３に示されるように、支持シート１２Ａと、導電層１２Ｂと、導電性粘着層１２Ｃと、から構成されている。支持シート１２Ａは、中央部に略矩形の中心孔１２Ｄが形成されており、この中心孔１２Ｄの内周は、導電層１２Ｂと反対側が導電層１２Ｂ側よりも一回り小さい段付形状となっている。導電層１２Ｂは、ケーブル１２Ｅを介して低周波電源１６と接続されるようになっている。
【００１８】
不関電極パッド１４も、関電極パッド１２と同様に支持シートと、導電層と、導電性粘着層と、から構成されており（図示省略）、導電層はケーブル１４Ｅを介して低周波電源１６と接続されるようになっている。尚、不関電極パッド１４に中心孔は形成されていない。
【００１９】
低周波電源１６は、関電極パッド１２及び不関電極パッド１４に所定の周波数の電流を供給するように構成されている。
【００２０】
イオントフォレーシス装置１８は、図２及び図３に示されるように、ベースシート１９と、イオントフォレーシスにより薬物イオンを投与するための作用側電極構造体２０と、作用側電極構造体２０から薬物イオンを投与する際に対電極となる非作用側電極構造体２２と、これら作用側電極構造体２０及び非作用側電極構造体２２に異なる極性で接続される直流電源２４と、を備えている。
【００２１】
ベースシート１９は、略矩形で外周が関電極パッド１２の支持シート１２の中心孔１２Ｄに導電層１２Ｂ側から嵌合可能な段付形状となっている。
【００２２】
図４に示されるように、作用側電極構造体２０は、薬物イオンの帯電イオンと同種の極性において、直流電源２４に接続された作用側電極２６と、この作用側電極２６の前面に配置され、第１電解液が保持されている第１電解液保持部２８と、この電解液保持部第１の前面に配置され、前記薬物イオンの帯電イオンと反対の第２導電型のイオンを選択的に通過させる機能を有する第２イオン交換膜３０と、この第２イオン交換膜３０の前面に配置され、前記薬物イオンを含む電解液が保持されている薬液保持部３２と、この薬液保持部３２の前面に配置され、前記薬物イオンの帯電イオンと同種の第１導電型のイオンを選択的に通過させる機能を有する第１イオン交換膜３４と、を備えている。
【００２３】
非作用側電極構造体２２は、直流電源２４における、前記薬物イオンの帯電イオンと反対の極性に接続された非作用側電極３６と、この非作用側電極３６の前面に配置され、第２電解液が保持されている第２電解液保持部３８と、この第２電解液保持部３８の前面に配置され、前記第１導電型のイオンを選択的に通過させる機能を有する第３イオン交換膜４０と、この第３イオン交換膜４０の前面に配置され、第３電解液が保持されている第３電解液保持部４２と、この第３電解液保持部４２の前面に配置され、前記第２導電型のイオンを選択的に通過させる機能を有する第４イオン交換膜４４と、を備えている。
【００２４】
作用側電極２６は、ベースシート１９の一方の面に塗布された、例えばカーボンペースト等の非金属導電フィラーが配合された導電塗料から構成するとよい。この作用側電極２６を銅板や金属薄膜によって構成することもできるが、ここから溶出した金属が薬物投与に際して生体に移行することも考えられるので、非金属性が好ましい。
【００２５】
第１電解液保持部２８は、例えば、作用側電極２６に塗布された電解質塗料から構成される。この電解質塗料は電解質を含有する塗料であり、水の電解反応（陽極での酸化及び陰極での還元）よりも酸化又は還元され易い電解質、例えばアスコルビン酸（ビタミンＣ）やアスコルビン酸ナトリウム等の薬物、乳酸、シュウ酸、リンゴ酸、コハク酸、フマル酸等の有機酸及び／又はその塩を使用することが特に好ましく、これにより、酸素ガスや水素ガスの発生を抑制することが可能であり、又、溶媒に溶解した際に緩衝電解液となる組合せの複数種の電解質を配合することにより、通電中におけるｐＨの変動を抑制することもできる。
【００２６】
電解質塗料には、塗料としての塗布性や製膜性を向上させるために、ポリビニルアルコール、ポリアクリル酸、ポリアクリルアミド、ポリエチレングリコール等の親水性高分子が配合され、又、電解質塗料の粘度を調整するための水、エタノール、プロパノール等の溶媒が適当量配合される。更に、増粘剤、チキソ剤、消泡剤、顔料、香料、着色料等の適宜の追加的な成分を配合することもできる。
【００２７】
第２イオン交換膜３０は、第１電解液保持部２８に第２のイオン交換塗料を塗布することによって形成される。
【００２８】
この第２のイオン交換塗料は、後述の、薬液保持部３２中の薬物イオンの帯電イオンと反対の第２導電型のイオンを対イオンとするイオン交換基が導入されたイオン交換樹脂を含有する塗料であり、薬液保持部３２に保持されている薬物イオンがカチオンである場合にはアニオン交換樹脂が配合され、逆に、薬物イオンがアニオンである場合にはカチオン交換樹脂が配合される。
【００２９】
薬液保持部３２は、第２イオン交換膜３０に塗布された薬物塗料からなり、水等の溶媒に溶解する等によりカチオン又はアニオンの薬物イオンに解離する薬物（薬物の前駆体を含む）を含有する塗料である。カチオンの薬物イオンに解離する薬物としては、ニコチン酸ベンジル、ノニル酸ワリニルアミド等の血行促進の効能を有する薬物やサリチル酸グリコール、サリチル酸メチル等の消炎及び鎮痛の効能を有する薬物を例示することができる。又、アニオンの薬物イオンに解離する薬物としては、ケトプロフェン、インドメタシン、ジクロフェナク、フェルビナク等の消炎及び鎮痛の効能を有する薬物を例示することができる。
【００３０】
第１イオン交換膜３４は、薬液保持部３２に塗布された第１のイオン交換塗料から形成されている。この第１のイオン交換塗料は、薬液保持部３２中の薬物イオンと同一の第１導電型のイオンを対イオンとするイオン交換基が導入されたイオン交換樹脂を含有する塗料であり、薬液保持部３２に保持されている薬物イオンがカチオンである場合には、カチオン交換樹脂が配合され、薬物イオンがアニオンである場合にはアニオン交換樹脂が配合される。
【００３１】
カチオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等のカチオン交換基（対イオンがカチオンである交換基）が導入されたイオン交換樹脂が制限無く使用することができる。
【００３２】
又、アニオン交換樹脂としては、上記カチオン交換樹脂と同様の３次元的な網目構造を持つ高分子に、１〜３級アミノ基、４級アンモニウム基、ピリジル基、イミダゾール基、４級ピリジニウム基、４級イミダゾリウム基等のアニオン交換基（対イオンがアニオンである交換基）が導入されたイオン交換樹脂が制限無く使用できる。
【００３３】
非作用側電極構造体２２における非作用側電極３６は、作用側電極２６と同様の構成であり、非作用側電極構造体２２におけるベースシート１９の一方の面側に設けられている。又、第２電解液保持部３８及び第３電解液保持部４２の構成及び成分も、第１電解液保持部２８と同様である。
【００３４】
第３イオン交換膜４０は、第２電解液保持部３８上に塗布されたイオン交換塗料から形成されている。このイオン交換塗料は、第１イオン交換膜３４を形成している第１のイオン交換塗料と同様に第１導電型のイオンを対イオンとするイオン交換基が導入されたイオン交換樹脂を含有する塗料であり、第１イオン交換膜３４と同様のイオン交換膜として機能する。
【００３５】
第４イオン交換膜４４は、第３電解液保持部４２上に塗布された、上記の第２のイオン交換塗料と同様に第２導電型のイオンを対イオンとするイオン交換基が導入されたイオン交換樹脂を含有する塗料であり、第２イオン交換膜３０と同様のイオン交換膜として機能する。
【００３６】
ベースシート１９の他方の面には、作用側電極端子２６Ａが設けられ、この作用側電極端子２６Ａは、作用側電極２６に対して、ベースシート１９に設けたスルーホールを介して導通されている。
【００３７】
同様に、非作用側電極構造体２２におけるベースシート１９の他方の面には、非作用側電極端子３６Ａが設けられていて、この非作用側電極端子３６Ａは、非作用側電極３６に対して、非作用側ベースシート１９に形成されたスルーホールを介して導通されている。
【００３８】
作用側電極構造体２０及び非作用側電極構造体２２は、共に、パイプ状のセル２０Ａ、２２Ａ内に配置され、その先端の第１イオン交換膜３４及び第４イオン交換膜４４がそれぞれ露出されて、生体側に接触できるようにされている。
【００３９】
ここで、作用側電極構造体２０及び非作用側電極構造体２２のそれぞれの先端の第１イオン交換膜３４及び第４イオン交換膜４４とは、通電時に、これらの間に直接電流が流れないようにするために、一定の隙間が設けられている。
【００４０】
直流電源２４は、セル型電池であって、ベースシート１９の一方の面に印刷等の塗布法により順次積層してされる第１活電極層４８と、セパレータ層５０と、第２活電極層５２とから構成されている。直流電源２４の、第１活電極層４８と作用側電極２６とは、導電塗料の塗膜５４により、又、第２活電極層５２と非作用側電極３６とが、絶縁ペースト層４９を介して形成された導電塗料の塗膜５６によりそれぞれ接続されている。
【００４１】
直流電源２４を構成する薄型の電池は、例えば、特開平１１−０６７２３６号公報、米国特許公開公報２００４／０１８５６６７Ａ１号公報、米国特許６８５５４４１号公報等に開示されるものを使用することができ、この第１実施形態例の構造に限定されるものでない。
【００４２】
次に、低周波治療器１０を用いた治療方法について説明する。
【００４３】
まず、関電極パッド１２にイオントフォレーシス装置１８を取付ける。次に、例えば被治療部を挟んで両側に、関電極パッド１２及び不関電極パッド１４を生体に当てる。この際、イオントフォレーシス装置１８の第１イオン交換膜３４及び第４イオン交換膜４４が患部又はその近傍に接触するように設定する。
【００４４】
次に、低周波電源１６から、関電極パッド１２と不関電極パッド１４間に所定の周波数の電流を流すと、筋肉等の患部の生体組織が収縮する。これにより、マッサージ効果、血行促進効果、鎮痛効果等が得られる。
【００４５】
一方、作用側電極構造体２０の薬液保持部３２に保持されている薬物イオンが第１イオン交換膜３４から、被治療部の表面に投与され、この薬物イオンにより、生体組織の収縮による治療効果が高められる。例えば薬物がニコチン酸ベンジルやノニル酸ワニリルアミドであったとすれば、これらの薬物イオンが、患部に浸入して血行を促進するので、生体組織の収縮による血行促進効果と併せて治療効果が高められる。又、薬物がサリチル酸グリコール、サリチル酸メチル、ケトプロフェン、インドメタシン、ジクロフェナク、フェルビナクであったとすれば、これらの薬物イオンが患部の消炎や鎮痛に寄与するので、生体組織の収縮による血行促進効果と併せて治療効果が高められる。
【００４６】
治療が終了したら関電極パッド１２から使用済みのイオントフォレーシス装置１８を取外す。再度治療を行う場合は、未使用のイオントフォレーシス装置１８を関電極パッド１２を取付ける。
【００４７】
尚、本第１実施形態例において、イオントフォレーシス装置１８は、関電極パッド１２に取付けられているが、例えば、被治療部を挟んで関電極パッド及び不関電極パッドを生体に貼り付ける場合のように、関電極パッド及び不関電極パッド双方を患部又はその近傍に配置して治療を行う場合、図５に示される本発明の第２実施形態例に係る低周波治療器６０のように、イオントフォレーシス装置１８を不関電極パッド１４に取付けてもよい。又、図６に示される本発明の第３実施形態例に係る低周波治療器７０のように、イオントフォレーシス装置１８を関電極パッド１２及び不関電極パッド１４双方に取付けてもよい。
【００４８】
次に、本発明の第４実施形態例について説明する。
【００４９】
本第４実施形態例に係る低周波治療器８０は、図７に示されるように、イオントフォレーシス装置８２が、関電極パッド１２に取付け可能でありイオントフォレーシスにより薬物イオンを投与するための作用側電極構造体８４と、不関電極パッド１４に取付け可能であり作用側電極構造体８４から薬物イオンを投与する際に対電極となる非作用側電極構造体８６と、これら作用側電極構造体８４及び非作用側電極構造体８６に異なる極性で接続される直流電源８８と、を有してなる構成であることを特徴としている。
【００５０】
他の構成については、前記第１実施形態例に係る低周波治療器１０と同様であるので、図１〜４と同一符号を用いることとして説明を省略する。
【００５１】
作用側電極構造体８４は、前記第１実施形態例に係る作用側電極構造体２０と同様の構成であり、関電極パッド１２に着脱自在に取付けられている。非作用側電極構造体８６も、前記第１実施形態例に係る非作用側電極構造体２２と同様の構成であり、不関電極パッド１４に着脱自在に取付けられている。
【００５２】
直流電源８８は、ケーブル１２Ｆを介して作用側電極構造体８４に接続され、ケーブル１４Ｆを介して非作用側電極構造体８６に接続されるようになっている。直流電源８８は、例えばＡＣ−ＤＣ変換器あるいは乾電池、ボタン電池等であり、低周波電源１６と組み合わされている。直流電源８８の通電時の電流値や投与時間である通電時間を調整する制御装置を設け、ダイヤル等の調整手段によって一定範囲で電流値及び投与時間を調節できるようにしてもよい。直流電源８８が作用側電極構造体８４及び非作用側電極構造体８６に供給する電流は連続直流型に限定されず、薬液保持部３２の薬物の種類等によりパルス型や交流型としてもよいが、この場合、直流電源８８は、作用側電極構造体８４には正又は負のいずれか一方の電流だけを供給するように構成する。
【００５３】
尚、直流電源８８が作用側電極構造体８４に正の電流を供給する場合、低周波電源１６は、正の範囲内だけで大きさが変異する電流を関電極パッド１２に供給することが好ましい。又、直流電源８８が作用側電極構造体８４に負の電流を供給する場合、低周波電源１６は、負の範囲内で大きさが変異する電流を関電極パッド１２に供給することが好ましい。このようにすることで、関電極パッド１２と作用側電極構造体８４とのクロストークや不関電極パッド１４と非作用側電極構造体８６とのクロストークを防止できる。
【００５４】
低周波治療器８０も、前記第１実施形態例に係る低周波治療器１０と同様に作用側電極構造体８４から薬物イオンが被治療部の表面に投入され、この薬物イオンにより、生体組織の収縮による治療効果が高められる。
【００５５】
又、作用側電極構造体８４及び非作用側電極構造体８６は、１回の治療毎に交換する必要があるが、直流電源８８については繰り返し使用することが可能である。
【００５６】
尚、本第４実施形態例において、作用側電極構造体８４は関電極パッド１２に取付けられ、非作用側電極構造体８６は不関電極パッド１４に取付けられているが、例えば、患部を挟んで関電極パッド及び不関電極パッドを生体に貼り付ける場合のように、関電極パッド及び不関電極パッド双方を被治療部又はその近傍に配置して治療を行う場合、作用側電極構造体８４を不関電極パッド１４に取付け、非作用側電極構造体８６を関電極パッド１２に取付けてもよい。
【図面の簡単な説明】
【００５７】
【図１】本発明の第１実施形態例に係る低周波治療器の概略構造を示す平面図
【図２】同低周波治療器におけるイオントフォレーシス装置を拡大して示す平面図
【図３】同側面図
【図４】図２におけるIV−IV線に沿う断面図
【図５】本発明の第２実施形態例に係る低周波治療器の概略構造を示す平面図
【図６】本発明の第３実施形態例に係る低周波治療器の概略構造を示す平面図
【図７】本発明の第４実施形態例に係る低周波治療器の概略構造を示す平面図
【符号の説明】
【００５８】
１０、６０、７０、８０…低周波治療器
１２…関電極パッド
１４…不関電極パッド
１６…低周波電源
１８、８２…イオントフォレーシス装置
２０、８４…作用側電極構造体
２２、８６…非作用側電極構造体
２４、８８…直流電源
２６…作用側電極
２８…第１電解液保持部
３０…第２イオン交換膜
３２…薬液保持部
３４…第１イオン交換膜
３６…非作用側電極
３８…第２電解液保持部
４０…第３イオン交換膜
４２…第３電解液保持部
４４…第４イオン交換膜
【図１】
2007089776.tif 000003
【図２】
2007089776.tif 000004
【図３】
2007089776.tif 000005
【図４】
2007089776.tif 000006
【図５】
2007089776.tif 000007
【図６】
2007089776.tif 000008
【図７】
2007089776.tif 000009